(57)【要約】【課題】機密情報を漏洩させることなく機密古紙を効率的に処理すると共に、過度に白色度を高めるような工程を経ることなく機密書類の作成に供される白色度の高い再生紙を製造する。【解決手段】機密古紙排出事業者Ｐ１から排出され、細断がされていない機密古紙１１を白色度が５０％以上の紙で製造される機密古紙収納紙箱１２に収納する機密古紙排出工程ＳＴ２と、機密古紙１１の機密守秘義務を負う搬送業者Ｐ２によって、機密古紙収納紙箱１２に収納された機密古紙１１を、機密古紙排出事業所Ｏ１から機密古紙処理事業所Ｏ２まで搬送する第二搬送工程ＳＴ３と、機密古紙処理事業所Ｏ２に搬送された機密古紙１１を、機密を維持したまま機密古紙収納紙箱１２と共に古紙パルプ化する機密古紙処理工程ＳＴ４と、前記古紙パルプを主原料として、白色度が５０％以上の紙を製造する再生紙製造工程ＳＴ５とを含める。【選択図】図１
2020024485.tif 000002
【特許請求の範囲】
【請求項１】
機密古紙排出事業者から排出される機密古紙を、白色度が５０％以上の紙で製造され、前記機密古紙を収納可能な機密古紙収納紙箱に収納する機密古紙排出工程と、
前記機密古紙の機密守秘義務を負う搬送業者によって、前記機密古紙収納紙箱に収納された前記機密古紙を、前記機密古紙排出事業者の機密古紙排出事業所から機密古紙処理事業者の機密古紙処理事業所まで前記機密古紙の機密を維持したまま搬送する搬送工程と、
前記機密古紙処理事業所に搬送された機密古紙を、機密を維持したまま前記機密古紙収納紙箱と共に古紙パルプ化する機密古紙処理工程と、
前記古紙パルプを主原料として、白色度が５０％以上の紙を製造する再生紙製造工程と、
を含む機密古紙のリサイクル方法。
【請求項２】
請求項１に記載の機密古紙のリサイクル方法であって、
前記機密古紙収納紙箱に、リサイクルシステムのトレーシング管理を可能とする、情報処理端末にて読み取り可能なシンボルが設けられていることを特徴とする機密古紙のリサイクル方法。
【請求項３】
請求項１又は請求項２のいずれか一に記載の機密古紙のリサイクル方法であって、
前記機密古紙処理工程は、前記機密古紙収納紙箱が前記搬送工程によって前記機密古紙処理事業所に搬入されてから前記機密古紙のパルプ化が開始されるまでの過程を撮像により監視記録することを特徴とする機密古紙のリサイクル方法。
【請求項４】
請求項１〜３のいずれか一に記載の機密古紙のリサイクル方法であって、
前記機密古紙排出事業者から排出された機密古紙を収納した機密古紙収納紙箱は、撮像による監視記録下で、前記搬送事業者及び／又は前記機密古紙処理事業者によって一時的に保管されることを特徴とする機密古紙のリサイクル方法。
【請求項５】
機密古紙排出事業者から排出される機密古紙と、
白色度が５０％以上の紙で製造され、前記機密古紙を収納可能な機密古紙収納紙箱と、
前記機密古紙の機密守秘義務を負う搬送業者によって、前記機密古紙収納紙箱に収納された前記機密古紙を、前記機密古紙排出事業者の機密古紙排出事業所から機密古紙処理事業者の機密古紙処理事業所まで前記機密古紙の機密を維持したまま搬送する搬送手段と、
前記機密古紙処理事業所に搬送された機密古紙を、機密を維持したまま前記機密古紙収納紙箱と共に古紙パルプ化する機密古紙処理手段と、
前記古紙パルプを主原料として、白色度が５０％以上の紙を製造する再生紙製造手段と、
を備える機密古紙のリサイクルシステム。
【請求項６】
請求項５に記載の機密古紙のリサイクルシステムであって、
前記機密古紙収納紙箱に、リサイクルシステムのトレーシング管理を可能とする、情報処理端末にて読み取り可能なシンボルが設けられていることを特徴とする機密古紙のリサイクルシステム。
【請求項７】
請求項５又は請求項６に記載の機密古紙のリサイクルシステムであって、
前記機密古紙処理手段は、前記機密古紙収納紙箱が前記搬送手段によって前記機密古紙処理事業所に搬入されてから前記機密古紙のパルプ化が開始されるまでの過程を撮像により監視記録する監視記録手段を備えることを特徴とする機密古紙のリサイクルシステム。
【請求項８】
請求項５〜７のいずれか一に記載の機密古紙のリサイクルシステムであって、
前記機密古紙排出事業者から排出された機密古紙を収納した機密古紙収納紙箱は、撮像による監視記録下で、前記搬送事業者及び／又は前記機密古紙処理事業者によって一時的に保管されることを特徴とする機密古紙のリサイクルシステム。
【発明の詳細な説明】
【技術分野】
【０００１】
本発明は、機密古紙の処理と、機密古紙を用いた再生紙の製造を行うことによって、環境負荷を少なくし、リサイクル効率を高めることが可能な機密古紙のリサイクル方法及び機密古紙のリサイクルシステムに関する。
【背景技術】
【０００２】
現代社会において、ビジネスの場では、機密情報を記録した書面（以下、機密古紙と称す。）が日々作成される。このような機密古紙は、その性質上、廃棄する際に、機密情報が流出しないような処理が必要であり、従来では、シュレッダーを用いて細断するといった手法が多くとられてきた。
【０００３】
しかしながら、廃棄する機密古紙の量が多いと、シュレッダーを用いて細断すること自体に多くの労力が必要となる。また、本来、古紙はリサイクル可能な資源であるが、シュレッダーを用いて細断されると紙繊維が切断され、リサイクルが難しい状態となり、廃棄、焼却されてしまう。このため、環境保護の観点から考えても、シュレッダーを用いた機密古紙の処理は好ましくない。
【０００４】
このような状況に鑑みて、例えば、非特許文献１に示すような、機密文書を機密情報が漏洩しないよう専用の段ボール箱で回収し、段ボール箱ごとパルプ化する機密古紙のリサイクルシステムの技術が提案されてきた。
【先行技術文献】
【非特許文献】
【０００５】
【非特許文献１】ヤマトロジスティックス、"機密古紙リサイクルサービス  回収・廃棄"、[online]、［平成３０年７月１４日検索］、インターネット〈URL：http://www.y-logi.com/ylc/logistics/kimitsubunsho.html?cid=y_mv_kimitsubunsho〉
【発明の概要】
【発明が解決しようとする課題】
【０００６】
しかしながら、前述の機密古紙のリサイクルシステムは、機密古紙の回収に一般的な段ボール箱を利用し、機密情報が流出しないよう段ボール箱ごと機密古紙を溶解させているが、一般的な段ボール等に由来する未漂白のパルプ（例えば繊維が茶色のパルプ）が混入するため、白色度を高めるような漂白処理等を行わない限り、白色度が低い紙以外の再生紙への再利用ができなかった。すなわち、白色度の高い機密古紙（一般に機密情報を記録する際には白色度の高い紙が用いられるため、機密古紙自体の白色度も高い。）を原料に用いるにも拘わらず、白色度の低い紙を製造する、いわば、品質を下げるリサイクルであった。
【０００７】
本発明は、従来のこのような問題点に鑑みてなされたものである。本発明の目的の一は、機密情報を漏洩させることなく機密古紙を効率的に処理すると共に、過度に白色度を高めるような漂白処理等を行うことなく、機密書類の作成に供される白色度の高い再生紙を製造することが可能な機密古紙のリサイクル方法及び機密古紙のリサイクルシステムを提供することにある。
【課題を解決するための手段及び発明の効果】
【０００８】
本発明の第１の側面に係る機密古紙のリサイクル方法によれば、機密古紙排出事業者から排出される機密古紙を、白色度が５０％以上の紙で製造され、前記機密古紙を収納可能な機密古紙収納紙箱に収納する機密古紙排出工程と、前記機密古紙の機密守秘義務を負う搬送業者によって、前記機密古紙収納紙箱に収納された前記機密古紙を、前記機密古紙排出事業者の機密古紙排出事業所から機密古紙処理事業者の機密古紙処理事業所まで前記機密古紙の機密を維持したまま搬送する搬送工程と、前記機密古紙処理事業所に搬送された機密古紙を、機密を維持したまま前記機密古紙収納紙箱と共に古紙パルプ化する機密古紙処理工程と、前記古紙パルプを主原料として、白色度が５０％以上の紙を製造する再生紙製造工程とを含むよう構成できる。
【０００９】
前記構成によれば、機密古紙を、機密情報を漏洩させることなく効率的に処理できる。また、一般に機密情報を記録する際には、白色度の高い紙が用いられるため、機密古紙は白色度が高く、該機密古紙を白色度の高い機密古紙収納紙箱で回収するので、白色度を高めるような漂白処理等を行うことなく、白色度の高い再生紙を製造することができる。すなわち、利用価値の高い状態（エントロピーが小さい状態）で資源を回収することができ、回収資源に近い状態の製品（エントロピーの増加が少ない）を製造することができるので、環境負荷が少なく、リサイクル効率の良い（ライフサイクルアセスメントが優れている）リサイクルを実現できる。さらに、製造される、白色度が５０％以上の紙を機密古紙排出事業者に供給し、該紙が機密情報の記録媒体として利用されることで、効率的な古紙リサイクルループを構成する機密古紙のリサイクルシステムを提供できる。加えて、製造される、白色度が５０％以上の紙を用いて機密古紙収納紙箱を製造し、該機密古紙収納紙箱の機密古紙排出事業者への供給を当該搬送業者が行うようにすることで、より効率的な古紙リサイクルループを構成する機密古紙のリサイクル方法を提供できる。
【００１０】
また、本発明の第２の側面に係る機密古紙のリサイクル方法によれば、前記機密古紙収納紙箱に、リサイクルシステムのトレーシング管理を可能とする、情報処理端末にて読み取り可能なシンボルを設けることができる。
【００１１】
前記構成によれば、機密古紙排出事業者から排出された機密古紙の搬送履歴が記録されるため、機密管理の責任の所在を明確にでき、機密古紙のより機密性の高い搬送が望めるようになる。
【００１２】
さらにまた、本発明の第３の側面に係る機密古紙のリサイクル方法によれば、前記機密古紙処理工程は、さらに、前記機密古紙収納紙箱が前記搬送工程によって前記機密古紙処理事業所に搬入されてから前記機密古紙のパルプ化が開始されるまでの過程を撮像により監視記録することができる。
【００１３】
さらにまた、本発明の第４の側面に係る機密古紙のリサイクル方法によれば、前記機密古紙排出事業者から排出された機密古紙を収納した機密古紙収納紙箱は、撮像による監視記録下で、前記搬送事業者及び／又は前記機密古紙処理事業者によって一時的に保管することができる。
【００１４】
本発明の第５の側面に係る機密古紙のリサイクルシステムによれば、機密古紙排出事業者から排出される機密古紙と、白色度が５０％以上の紙で製造され、前記機密古紙を収納可能な機密古紙収納紙箱と、前記機密古紙の機密守秘義務を負う搬送業者によって、前記機密古紙収納紙箱に収納された前記機密古紙を、前記機密古紙排出事業者の機密古紙排出事業所から機密古紙処理事業者の機密古紙処理事業所まで前記機密古紙の機密を維持したまま搬送する搬送手段と、前記機密古紙処理事業所に搬送された機密古紙を、機密を維持したまま前記機密古紙収納紙箱と共に古紙パルプ化する機密古紙処理手段と、前記古紙パルプを主原料として、白色度が５０％以上の紙を製造する再生紙製造手段と、を備えることができる。
【００１５】
また、本発明の第６の側面に係る機密古紙のリサイクルシステムによれば、前記機密古紙収納紙箱に、リサイクルシステムのトレーシング管理を可能とする、情報処理端末にて読み取り可能なシンボルを設けることができる。
【００１６】
さらにまた、本発明の第７の側面に係る機密古紙のリサイクルシステムによれば、前記機密古紙処理手段は、さらに、前記機密古紙収納紙箱が前記搬送手段によって前記機密古紙処理事業所に搬入されてから前記機密古紙のパルプ化が開始されるまでの過程を撮像により監視記録する監視記録手段を備えることができる。
【００１７】
さらにまた、本発明の第８の側面に係る機密古紙のリサイクルシステムによれば、前記機密古紙排出事業者から排出された機密古紙を収納した機密古紙収納紙箱は、撮像による監視記録下で、前記搬送事業者及び／又は前記機密古紙処理事業者によって一時的に保管することができる。
【図面の簡単な説明】
【００１８】
【図１】本発明の実施の形態に係る機密古紙のリサイクル方法を説明するための模式図である。
【図２】本発明の実施の形態に係る機密古紙のリサイクル方法の手順を示すフローチャートである。
【図３】第一搬送工程の手順を示すフローチャートである。
【図４】第二搬送工程の手順を示すフローチャートである。
【図５】機密古紙処理工程の手順を示すフローチャートである。
【図６】本発明の実施の形態に係る機密古紙のリサイクルシステムの模式図である。
【図７】本発明の実施の形態に係る機密古紙のリサイクルシステムの模式図である。
【発明を実施するための形態】
【００１９】
以下、本発明の実施の形態を図面に基づいて説明する。ただし、以下に示す実施の形態は、本発明の技術思想を具体化するための機密古紙のリサイクル方法及び機密古紙のリサイクルシステムを例示するものであって、本発明は機密古紙のリサイクル方法及び機密古紙のリサイクルシステムを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（機密古紙のリサイクル方法）
【００２０】
本発明を適用した機密古紙のリサイクル方法について、図１〜図５に基づいて説明する。
【００２１】
図１の模式図及び図２の概略図に示すように、本発明を適用した機密古紙のリサイクル方法は、機密古紙排出事業者Ｐ１が排出した機密古紙１１を、第一搬送工程ＳＴ１、機密古紙排出工程ＳＴ２、第二搬送工程ＳＴ３（特許請求の範囲における「搬送工程」の一例に対応する。）、機密古紙処理工程ＳＴ４及び再生紙製造工程ＳＴ５を経て、機密情報を漏洩させることなく処理し、白色度の高い再生紙にリサイクルする方法である。なお、以下の説明において、第一搬送工程ＳＴ１及び第二搬送工程ＳＴ３は、同一の搬送業者Ｐ２によって行われるとして説明するが、それぞれ異なる搬送業者によって実施されてもよい。
（第一搬送工程ＳＴ１）
【００２２】
第一搬送工程ＳＴ１は、搬送業者Ｐ２が機密古紙排出事業者Ｐ１の機密古紙排出事業所Ｏ１に機密古紙収納紙箱１２を搬送する工程である。以下、第一搬送工程ＳＴ１について、図３のフローチャートに基づいて説明する。
【００２３】
第一搬送工程ＳＴ１において、まず、ステップｓｔ１０１で、機密古紙排出事業者Ｐ１が搬送業者Ｐ２に機密古紙収納紙箱１２の発注を行う。次に、ステップｓｔ１０２で、搬送業者Ｐ２が発注に応じて、機密古紙収納紙箱１２にバーコード１２１（特許請求の範囲における「シンボル」の一例に対応する。）を取り付け、ステップｓｔ１０３で、バーコードリーダ１３ａを用いてバーコード１２１を読み取る。これにより、搬送業者Ｐ２が機密古紙排出事業者Ｐ１の機密古紙排出事業所Ｏ１に発送する機密古紙収納紙箱１２を特定する固有情報が搬送業者Ｐ２の管理するパソコンに送信される。最後に、ステップｓｔ１０４で、搬送業者Ｐ２が機密古紙排出事業者Ｐ１の機密古紙排出事業所Ｏ１に、機密古紙収納紙箱１２を搬送する。
（機密古紙１１）
【００２４】
機密古紙１１は、例えば、顧客情報、商品の仕様、会議内容等の機密情報を書面に記録したものである。一般的に、ビジネスの場における書面にはコピー用紙が用いられるため、機密古紙１１の白色度は７０％程度であることが想定される。
（機密古紙収納紙箱１２）
【００２５】
機密古紙収納紙箱１２は、白色度が５０％以上の紙を用いて製造される箱である。例えば、古紙が脱墨又は漂白等の処理がなされ、ＪＩＳ  Ｐ  ８２２０（１９９８）に準拠した方法で離解したパルプをＪＩＳ  Ｐ  ８２２２（１９９８）に準拠した方法で調整した手抄き紙のＪＩＳ  Ｐ  ８１４８（２００１）に基づく白色度が５０％以上、好適には８０％以上、更に好適には８５％以上のパルプ及び／又はクラフトパルプで、ＪＩＳ  Ｐ  ８１２０（１９９８）に規定する紙、板紙及びパルプ−繊維組成試験方法に準ずるＣ染色法による呈色表に基づいて測定した機械パルプの繊維配合率が３〜３０質量％、好ましくは１０〜３０質量％の原料パルプが抄紙されてなる多層抄き板紙を用いて製造される。
【００２６】
機密古紙収納紙箱１２は、一定量の機密古紙１１を収納し、後述する第二搬送工程ＳＴ３の過程で破損しない程度の強度があればよく、形状や大きさは限定されない。なお、本実施の形態において、基本的に、機密古紙収納紙箱１２に機密古紙１１以外ものが収納されることは想定していないが、例えば、ホチキスの芯やプラスチック製のファイル等の紙以外のものであれば、後述する機密古紙処理工程ＳＴ４で、機密古紙収納紙箱１２と、機密古紙収納紙箱１２に収納されたものとを溶解する過程やその後の精選工程で除去することが可能である。
【００２７】
また、茶色の封筒のような未漂白のパルプや、染色されたパルプを用いた紙は、禁忌品として収納されないことが好ましいが、後述する再生紙製造工程ＳＴ５において再生紙を製造する際に、これらの含有率が全体の２０％未満であれば無視することができる（再生紙の品質に影響しない）。なお、以下の説明において、機密古紙収納紙箱１２には機密古紙１１のみが収納されるものとして説明を行う。
（白色度）
【００２８】
白色度とは、ＪＩＳ  Ｐ  ８１４８（２００１）で定められる紙のＩＳＯ白色度（拡散青色光反射率）を指し、同一条件下において、完全拡散反射面によって反射された放射に対し、物体によって反射された放射の比率を百分率で表した値で紙の白さの程度を定義したものである。
（バーコ−ド１２１）
【００２９】
前述のとおり、バーコード１２１は、特許請求の範囲における「シンボル」の一例に対応するものである。本発明に於いては、シンボルとしてバーコードを例に挙げ説明するが、シンボルには、一次元コードや二次元コードに加え、これらを組み合わせた合成シンボルも含む。一次元コードは、バーコードや一次元シンボル等とも呼ばれ、Ｃｏｄｅ３９やＣｏｄｅ１２８等が挙げられる。二次元コードも同様に二次元バーコードや二次元シンボル等とも呼ばれ、ＱＲコード（登録商標）、マイクロＱＲコード、データマトリクス（DataMatrix）、ベリコード（VeriCode）、アズテックコード（AztecCode）、ＰＤＦ４１７、ＭｉｃｒｏＰＤＦ４１７、マキシコード（MaxiCode）などがある。また合成シンボルには、一次元コードと二次元コードが混在するＧＳ１合成シンボルなどがある。ＧＳ１合成シンボルはベースになる一次元コードとしてＥＡＮ／ＵＰＣ（EAN-13、EAN-8、UPC-A、UPC-E）、ＧＳ１-１２８及びＧＳ１データバーの三種が利用できる。更に、近年多用されているリーダライタと非接触で交信して、情報記憶、表示に使用する非接触型のＩＣタグも利用可能である。
（機密古紙排出工程ＳＴ２）
【００３０】
機密古紙排出工程ＳＴ２は、第一搬送工程ＳＴ１において、機密古紙排出事業所Ｏ１に搬送された機密古紙収納紙箱１２に、機密古紙排出事業者Ｐ１が機密古紙１１を収納する工程である。例えば、機密古紙収納紙箱１２に収納した機密古紙１１が一定量に達した場合に、機密古紙排出事業者Ｐ１が機密古紙収納紙箱１２をテープやシール等を用いて封をする。これにより、機密古紙１１を外部から視認できない状態となる。
（第二搬送工程ＳＴ３）
【００３１】
第二搬送工程ＳＴ３は、機密古紙排出工程ＳＴ２にて機密古紙排出事業者Ｐ１が封をした機密古紙収納紙箱１２及び機密古紙収納紙箱１２に収納された機密古紙１１を機密古紙排出事業所Ｏ１から機密古紙処理事業所Ｏ２に搬送する工程である。以下、第二搬送工程ＳＴ３について、図４のフローチャートに基づいて説明する。
【００３２】
第二搬送工程ＳＴ３において、まず、ステップｓｔ３０１で、機密古紙排出事業者Ｐ１が搬送業者Ｐ２に機密古紙収納紙箱１２の搬送を依頼する。該依頼を受けた搬送業者Ｐ２は、機密古紙排出事業所Ｏ１に向かう。次にステップｓｔ３０２で、搬送業者Ｐ２は、バーコードリーダ１３ａを用いて搬送する機密古紙収納紙箱１２に取り付けられたバーコード１２１を読み取る。これにより、搬送業者Ｐ２が機密古紙処理事業者Ｐ３の機密古紙処理事業所Ｏ２に搬送する機密古紙収納紙箱１２を特定する固有情報が搬送業者Ｐ２の管理するパソコンに送信される。送信された情報は、メールシステムによって機密古紙処理事業者Ｐ３の管理するパソコンに送信される。次いで、ステップｓｔ３０３で、ステップｓｔ３０２にて送信された固有情報に基づき搬送業者Ｐ２のハンディプリンタから搬送業者名、機密古紙収納紙箱１２を回収した日時、回収した機密古紙収納紙箱１２の個数等が記載された受領書が発行され、機密古紙排出事業者Ｐ１に渡された後、ステップｓｔ３０４で、搬送業者Ｐ２が、回収した機密古紙収納紙箱１２及び機密古紙収納紙箱１２に収納された機密古紙１１を機密古紙処理事業者Ｐ３の機密古紙処理事業所Ｏ２に搬送する。
（機密古紙処理工程ＳＴ４）
【００３３】
機密古紙処理工程ＳＴ４は、第二搬送工程ＳＴ３にて搬送業者Ｐ２が回収し、機密古紙処理事業者Ｐ３の機密古紙処理事業所Ｏ２に搬送した機密古紙収納紙箱１２及び機密古紙収納紙箱１２に収納された機密古紙１１を溶解し、パルプ化する工程である。以下、機密古紙処理工程ＳＴ４について、図５のフローチャートに基づいて説明する。
【００３４】
機密古紙処理工程ＳＴ４において、まず、ステップｓｔ４０１で、機密古紙処理事業者Ｐ３はバーコードリーダ１３ｂを用いて、搬送された機密古紙収納紙箱１２に取り付けられたバーコード１２１を読み取る。これにより、機密古紙収納紙箱１２の固有情報が機密古紙処理事業者Ｐ３の管理するパソコンに送信され、搬送業者Ｐ２が機密古紙排出事業者者Ｐ１より回収した機密古紙収納紙箱１２と一致するか否かが確認される。一致した場合、ステップｓｔ４０２に進み、一致しない場合は再度確認作業を行う。次いで、ステップｓｔ４０２で、機密古紙１１を機密古紙収納紙箱１２と共に溶解し、パルプ化する。ここで、機密古紙１１の回収に白色度の高い機密古紙収納紙箱１２が用いられていることにより、ステップｓｔ４０２において白色度を高めるような漂白処理を行う必要がなく、ライフサイクルアセスメントが優れたリサイクルが可能となる。最後に、ステップｓｔ４０３で、搬送業者名、溶解した日時、溶解した機密古紙収納紙箱１２の個数等が記載された溶解証明書を発行し、機密古紙排出事業者Ｐ１に郵送する。なお、以上の説明では、バーコード１２１を用いたトレーシングによって機密古紙収納紙箱１２の管理を行っているが、その他のシンボルを用いたトレーシングを行ってもよい。また、機密古紙排出事業者Ｐ１が直接監視できるようにしてもよい。
【００３５】
このように、本発明を適用した機密古紙のリサイクルシステムは、機密古紙排出工程ＳＴ２で機密古紙収納紙箱１２の封をしてから、機密古紙処理工程ＳＴ４で機密古紙１１を機密古紙収納紙箱１２と共に溶解し、パルプ化するまでの間、機密古紙収納紙箱１２を開封することが無いため、機密情報を漏洩させることなく、機密古紙を処理することができる。
（再生紙製造工程ＳＴ５）
【００３６】
再生紙製造工程ＳＴ５は、再生紙製造事業者Ｐ４が機密古紙処理事業所Ｏ２に隣接する再生紙製造事業所Ｏ３にて、機密古紙処理工程ＳＴ４にて製造されたパルプを主原料とし、必要に応じて漂白パルプ等の白色度調整用のパルプを混在させながら、白色度の高い再生紙を製造する工程である。白色度が高い（７０％程度）ことが想定される機密古紙１１と白色度が高い機密古紙収納紙箱１２からなるパルプを主原料とするため、別途、白色度を高めるような工程を経ることなく、粗選工程、精選工程、必要に応じ脱墨工程を経て白色度の高い再生紙を製造することが可能である。すなわち、利用価値の高い状態（エントロピーが小さい状態）で資源を回収することができ、回収資源に近い状態の製品（エントロピーの増加が少ない）を製造することができるので、環境負荷が少なく、リサイクル効率の良い（ライフサイクルアセスメントが優れている）リサイクルを実現できる。
【００３７】
なお、再生紙製造事業所Ｏ３は機密古紙処理事業所Ｏ２に隣接している必要はなく、機密古紙処理工程ＳＴ４にて製造されたパルプを搬送業者Ｐ２が機密古紙処理事業所Ｏ２から再生紙製造事業所Ｏ３に搬送するようにしてもよい。また、本発明を適用した機密古紙のリサイクル方法の第二搬送工程ＳＴ３及び機密古紙処理工程ＳＴ４において、機密古紙１１が収納された機密古紙収納紙箱１２を、監視カメラ等を用いて撮像し、監視記録できるようにしてもよい。さらに、この監視記録下においては、搬送業者Ｐ２又は機密古紙処理事業者Ｐ３によって、機密古紙１１が収納される機密古紙収納紙箱１２を一時的に保管することも可能である。
（機密古紙のリサイクルシステム）
【００３８】
本発明を適用した機密古紙のリサイクルシステムについて、図６及び図７の模式図に基づいて説明する。
【００３９】
本発明を適用した機密古紙のリサイクルシステムは、前述の機密古紙のリサイクル方法における搬送業者Ｐ２、機密古紙処理事業者Ｐ３、再生紙製造事業者Ｐ４を一元管理することでシステム化したものであって、第一搬送工程ＳＴ１に対応する第一搬送手段Ｗ１、機密古紙搬出工程ＳＴ２に対応する機密古紙搬出手段Ｗ２、第二搬送工程ＳＴ３に対応する第二搬送手段Ｗ３（特許請求の範囲における「搬送手段」の一例に対応する。）、機密古紙処理工程ＳＴ４に対応する機密古紙処理手段Ｗ４及び再生紙製造工程ＳＴ５に対応する再生紙製造手段Ｗ５を備える。これにより、機密古紙のリサイクル方法と同様に、機密情報を漏洩させることない機密古紙の効率的な処理と、白色度を高めるための漂白処理を介さない白色度の高い再生紙の製造が可能である。
【００４０】
また、例えば、図６に示すように、再生紙製造手段Ｗ５においてコピー用紙を製造、機密古紙排出事業者Ｐ１に供給することで、該コピー用紙が機密情報の記録媒体として利用され、機密古紙１１となれば、機密古紙１１のリサイクルループを構成する機密古紙のリサイクルシステムとなる。さらにまた、図７に示すように、再生紙製造手段Ｗ５において製造された再生紙を用いて機密古紙収納紙箱１２を製造すれば、機密古紙１１のリサイクルループを構成する機密古紙のリサイクルシステムとなる。このようにリサイクルシステム内で、機密古紙１１のリサイクルループが構成されることで、より効率的なリサイクルが可能となり、環境問題への取り組みに寄与することができる。
【００４１】
以上説明したように、本実施形態に係る機密古紙のリサイクル方法及び機密古紙のリサイクルシステムは、（１）機密情報を漏洩させることのない機密古紙の効率的な処理と、（２）白色度を高めるための漂白処理を介さない白色度の高い再生紙の製造が可能である。また、利用価値の高い状態で資源を回収することができ、回収資源に近い状態の製品を製造することができるので、（３）環境負荷が少なく、リサイクル効率の良いリサイクルを実現できる。
【００４２】
さらに、（４）本実施形態によって製造されたパルプを用いて製造する再生紙の態様を適宜変更することで、より効率的な機密古紙のリサイクルを実現することも可能である。
【産業上の利用可能性】
【００４３】
本発明に係る機密古紙のリサイクル方法及び機密古紙のリサイクルシステムは、環境負荷を少なくし、リサイクル効率を高めた機密古紙のリサイクルを行う用途に適用できる。
【符号の説明】
【００４４】
１１…機密古紙
１２…機密古紙収納紙箱；１２１…バーコード
１３ａ、１３ｂ…バーコードリーダ
ＳＴ１…第一搬送工程
ＳＴ２…機密古紙排出工程
ＳＴ３…第二搬送工程
ＳＴ４…機密古紙処理工程
ＳＴ５…再生紙製造工程
Ｐ１…機密古紙排出事業者
Ｐ２…搬送業者
Ｐ３…機密古紙処理事業者
Ｐ４…再生紙製造事業者
Ｏ１…機密古紙排出事業所
Ｏ２…機密古紙処理事業所
Ｏ３…再生紙製造事業所
【図１】
2020024485.tif 000003
【図２】
2020024485.tif 000004
【図３】
2020024485.tif 000005
【図４】
2020024485.tif 000006
【図５】
2020024485.tif 000007
【図６】
2020024485.tif 000008
【図７】
2020024485.tif 000009